(57)【要約】      （修正有）【課題】生花を収容した花桶を車両での運搬時にその転倒を防止し、かつ花桶を上方へ持ち上げて容易に引き抜ける花桶用スタンドを提供する。【解決手段】上リング１０と、これより大径の底リング１２とを複数本の支柱１４で連結した金属製枠構造で形成され、花桶を上方から上リング１０内に挿入し、上縁の鍔を上リング１０で係止して花桶を保持する花桶用スタンドにおいて、上リング１０に、一対の相対向した位置に下方向へ屈曲した凹部を形成する。花桶用スタンドは、上リング１０に、一対の相対向した位置に下方向へ屈曲した凹部を形成したので、花桶を保持した状態で、上リング１０と鍔との間に凹部で空間が形成される。この一対の空間に左右の手を入れて鍔を直接把持し、花桶を上方へ持ち上げて容易に引き抜くことができ、作業性の向上が図られる。【選択図】図１
0003167004.tif 000002
【実用新案登録請求の範囲】
【請求項１】
上リング１０と、これより大径の底リング１２とを複数本の支柱１４で連結した金属製枠構造で形成され、花桶１を上方から上リング１０内に挿入し、上縁の鍔２を上リング１０で係止して花桶１を保持する花桶用スタンドにおいて、
上リング１０に、一対の相対向した位置に下方向へ屈曲した凹部１１を形成したことを特徴とする花桶用スタンド。
【考案の詳細な説明】
【技術分野】
【０００１】
この考案は、生花を収容した花桶を保持し、運搬時の転倒を防止するために使用する花桶用スタンドに関するものである。
【背景技術】
【０００２】
生花を収容した花桶を車両での運搬時にその転倒を防止するために、花桶用スタンドが用いられ、従来の一般的な花桶用スタンドを図５から７に示す。この花桶用スタンドは、金属製枠構造で形成され、上リング１０と、これより大径の底リング１２とを複数本（図例は４本）の支柱１４で連結し、台形形状に形成されている。図６に示すように、このスタンドに、生花（図示せず）を収容した花桶１を上方から上リング１０内に挿入し、花桶１の上縁に外方向へ突出した鍔２を上リング１０で係止し、図７に示す状態で花桶１が保持される。これを車両の荷台に積み込み、花桶１がスタンドに支えられて姿勢が保たれ、車両の揺れによる転倒が防止される。
【０００３】
目的地に運搬された花桶１は荷台から降ろされ、上方へ持ち上げて花桶用スタンドから引き抜かれる。ここで、鍔２が上リング１０に当接して密着した状態であるため、鍔２を持ち辛く、花桶１をスタンドから引き抜く作業が困難である。
【０００４】
一方、特許文献１に示すような、植木鉢や花瓶等の花器を内部に収納可能な外装容器も提案されている。しかし、これらの外装容器は、花器の装飾や外衝に対する保護を目的とするもので、運搬時のみに使用する用途には適さないものである。
【先行技術文献】
【特許文献】
【０００５】
【特許文献１】実用新案登録第２５０９３００号公報
【考案の概要】
【考案が解決しようとする課題】
【０００６】
この考案は、上リング１０の形状を工夫し、花桶１を上方へ持ち上げて容易に引き抜くことができる花桶用スタンドを提供することを目的とするものである。
【課題を解決するための手段】
【０００７】
上記の目的を達成するため、この考案は、上リング１０と、これより大径の底リング１２とを複数本の支柱１４で連結した金属製枠構造で形成され、花桶１を上方から上リング１０内に挿入し、上縁の鍔２を上リング１０で係止して花桶１を保持する花桶用スタンドにおいて、上リング１０に、一対の相対向した位置に下方向へ屈曲した凹部１１を形成したことを特徴とするものである。
【考案の効果】
【０００８】
この考案の花桶用スタンドは、上リング１０に、一対の相対向した位置に下方向へ屈曲した凹部１１を形成したので、花桶１を保持した状態で、上リング１０と鍔２との間に凹部１１で空間１３が形成される。この一対の空間１３に左右の手を入れて鍔２を直接把持し、花桶１を上方へ持ち上げて容易に引き抜くことができ、作業性の著しい向上が図られる。
【０００９】
また、凹部１１は曲げ加工等で簡単に形成されるとともに、従来品とは異なる変化に富んだデザインとなり、意匠的にも優れるものである。
【図面の簡単な説明】
【００１０】
【図１】この考案の最初の実施例の斜視図。
【図２】花桶を保持した状態の正面図。
【図３】この考案の別の実施例の斜視図。
【図４】この考案のさらに別の実施例の斜視図。
【図５】従来例の斜視図。
【図６】花桶の着脱を示す説明図。
【図７】花桶を保持した状態の正面図。
【考案を実施するための形態】
【００１１】
以下にこの考案の具体的な実施形態について、図面を用いて説明する。
【実施例１】
【００１２】
図１，２にこの考案の最初の実施例を示し、図１は花桶用スタンドの斜視図、図２は花桶を保持した状態の正面図である。図１に示すように、この花桶用スタンドは、上リング１０と、これより大径の底リング１２とを４本の支柱１４で連結した金属製枠構造で形成されている。上リング１０には、一対の相対向した位置に下方向へ屈曲した凹部１１ａが形成され、この凹部１１ａと底リング１２とを支柱１４ａで連結している。このスタンドに、上方から花桶１を上リング１０内に挿入し、鍔２を上リング１０で係止して花桶１が保持される。
【００１３】
図２に示すように、花桶１を保持した状態で、凹部１１ａで上リング１０と鍔２との間に空間１３が形成される。この一対の空間１３に左右の手を入れて鍔２を直接把持し、花桶１を上方へ持ち上げて容易に引き抜くことができる。
【実施例２】
【００１４】
図３は別の実施例の花桶用スタンドの斜視図である。図に示すように、この花桶用スタンドは、上リング１０に、一対の凹部１１ｂを支柱１４の間の位置に形成したものである。この花桶用スタンドも前例と同様に、花桶１を保持した状態で、凹部１１ｂで上リング１０と鍔２との間に空間が形成され、この一対の空間に左右の手を入れて鍔２を直接把持し、花桶１を上方へ持ち上げて容易に引き抜くことができる。
【実施例３】
【００１５】
図４はさらに別の実施例の花桶用スタンドの斜視図である。図に示すように、この花桶用スタンドは、上リング１０に、一対の相対向した位置にＶ字状に下方向へ屈曲した凹部１１ｃを形成し、Ｖ字の下端を底リング１２に連結し、凹部１１ｂが支柱を兼ねたものである。この花桶用スタンドも前例と同様に、花桶１を保持した状態で、凹部１１ｃで上リング１０と鍔２との間に空間が形成され、この一対の空間に左右の手を入れて鍔２を直接把持し、花桶１を上方へ持ち上げて容易に引き抜くことができる。
【００１６】
以上実施例について説明したが、この考案はこれに限定されるものではない。例えば、一対の凹部１１を二対設け、上リング１０に略９０度の間隔で４個の凹部１１を配してもよい。また、相対向した位置とは厳格に１８０度の向かい合った位置には限定されず、鍔２を直接把持して花桶１を上方へ持ち上げるのに適する範囲で、１８０度から多少のズレは許容範囲である。
【符号の説明】
【００１７】
１  花桶
２  鍔
１０  上リング
１１  凹部
１２  底リング
【図１】
0003167004.tif 000003
【図２】
0003167004.tif 000004
【図３】
0003167004.tif 000005
【図４】
0003167004.tif 000006
【図５】
0003167004.tif 000007
【図６】
0003167004.tif 000008
【図７】
0003167004.tif 000009